(57)【要約】【課題】主に家庭用の浴槽に注水する際に、電源を使用することなく、所定の水位に達したことを音で知らせる水位報知器を提供する。【解決手段】水道の蛇口からの流水１２を受ける回転体２と、一端に浮き３を設けた吊糸１０と、音発生手段４と、水道のパイプ１１、浴槽の縁などに取り付けるためのホルダー５を備え、浴槽に所定の水位まで注水されると浮き３が浮上することによって、回転体２と音発生手段４とが接触し、この接触により音発生手段４を動作させる。回転体の回転軸が固定の場合は、音発生手段４が吊糸１０の他端に設けられ、浮き３が浮上すると音発生手段４の位置が変化して回転体２と接触する。音発生手段の位置が固定の場合は、回転体が吊糸の他端に設けられ、浮きが浮上すると回転体の位置が変化し、流水を受けて回転する回転体と音発生手段とが接触する。【選択図】図４
2012002653.tif 000002
【特許請求の範囲】
【請求項１】
浴槽への注水時に所定の水位に達したことを知らせる水位報知器であって、水道の蛇口からの流水を受ける回転体と、一端に浮きを設けた吊糸と、音発生手段と、取り付け箇所に着脱自在に取り付けるためのホルダーを備え、
浴槽に所定の水位まで注水されると浮きが浮上することによって、流水を受けて回転する前記回転体と前記音発生手段とが接触し、この接触により前記音発生手段を動作させることを特徴とする水位報知器。
【請求項２】
前記回転体の回転軸は前記ホルダーに設けた軸受けで支持されるとともに、
前記吊糸は前記ホルダーに設けた吊糸支持部を挿通し、前記吊糸の他端には前記音発生手段が設けられ、前記浮きが浮上すると前記音発生手段が前記回転体に接触する位置まで移動することを特徴とする請求項１に記載の水位報知器。
【請求項３】
前記ホルダーは箱状をなし、該水位報知器を使用していないときは、前記ホルダーの内部に前記回転体と前記吊糸と前記浮き及び前記音発生手段とを収納することを特徴とする請求項２に記載の水位報知器。
【請求項４】
前記ホルダーに回転体支持部を設け、この回転体支持部を支点として揺動可能な連結部材を前記回転体の回転軸と連結させるとともに、前記吊糸は前記ホルダーに設けられた吊糸支持部を挿通し、前記吊糸の他端は前記連結部材に止着されている一方、
前記ホルダーには前記音発生手段が設けられ、
前記浮きが浮上することによって前記回転体の位置が変化し、流水を受けて回転する前記回転体と前記音発生手段とが接触することを特徴とする請求項１に記載の水位報知器。
【請求項５】
前記ホルダーに回転体支持部を設け、この回転体支持部を支点として揺動可能な連結部材を前記回転体の回転軸と連結させるとともに、前記吊糸は前記ホルダーに設けられた吊糸支持部を挿通し、前記吊糸の他端は前記連結部材に止着されている一方、
前記回転体あるいは前記連結部材には前記音発生手段が設けられ、
所定の水位に到達したときに前記浮きが浮上することによって前記回転体の位置が流水を受ける位置に変化し、流水を受けた前記回転体の回転にともない前記音発生手段が動作することを特徴とする請求項１に記載の水位報知器。
【発明の詳細な説明】
【技術分野】
【０００１】
本発明は、主に家庭用の浴槽に注水する際に、電源を使用することなく、所定の水位に達したことを音で知らせる水位報知器に関する。
【背景技術】
【０００２】
風呂水が所定の水位に達したことを知らせる装置として、水位を検出するセンサーからの信号によってブザーなどを鳴動させる、電池を使用するものが多く見受けられ、この種の装置は、特許文献１，２など数多く開示されている。
水の中で電気を利用するのであるから、厳重な防水対策が必要となるし、センサーおよびブザーをつなぐ等の回路設計も必要になる。これでは手軽な製品とは言えない。また、電池の交換時期に気を配るのも煩わしい。
【０００３】
そのため、特許文献３には、電気をまったく使用せず、容器内にゼンマイ式のベルと、このベルの作動・停止を制御する振子形ストッパーを装着し、この容器と錘を線条にて連結した「水面検知警報器」が開示されている。特許文献４には、一切電源を必要とせず、本体となるシリンダーと、中央部に設けた空気穴に吹き口をあわせたホイッスルを配置したシリンダーカバー用永久磁石円盤と、頭頂部に永久磁石円盤を内蔵したピストン状のフロートから構成された「浴槽水位警報装置」が開示されている。
【先行技術文献】
【特許文献】
【０００４】
【特許文献１】特開２００１−１８３２２０号公報
【特許文献２】実用新案登録第３００３６６７号公報
【特許文献３】実用新案登録第３００１２４０号公報
【特許文献４】特開２００９−２２９４３４号公報
【発明の概要】
【発明が解決しようとする課題】
【０００５】
特許文献３および特許文献４の発明は、電源を使用しないので、構造が簡単であり、組み立てが容易かつコストも抑制できる。しかしながら、特許文献３の発明では、水面に容器を浮かせるので、蛇口をいっぱいに開き多量の水を噴出させる場合、水面が波立って容器が傾き、所定の水位になる前にストッパーがはずれて警報音が発生するおそれがある。また、動力源のゼンマイを巻き忘れてはならず煩わしい。
特許文献４の発明では、ホイッスルの発する音は継続しないので、音が鳴ったときに聞き逃すと所定の水位に達したことに気づかない。つまりこれらは、簡便性は満たされてはいるが、性能面で安定性を欠く。
そのため、本発明は、構造がシンプルであるが、誤動作が少なく、所定の水位になっても注水を止めない間は音が鳴り続ける水位報知器を提供することを課題とする。
【課題を解決するための手段】
【０００６】
上記の目的を達成するために、本発明の水位報知器は、
浴槽への注水時に所定の水位に達したことを知らせる水位報知器であって、水道の蛇口からの流水を受ける回転体（例えば、水車、プロペラ、羽根車など）と、一端に浮きを設けた吊糸と、音発生手段（例えば、鈴、太鼓、木琴・鉄琴など）と、取り付け箇所（例えば、水道のパイプ、浴槽の縁、浴室の壁など）に着脱自在に取り付けるためのホルダーを備え、浴槽に所定の水位まで注水されると浮きが浮上することによって、流水を受けて回転する前記回転体と前記音発生手段とが接触し、この接触により前記音発生手段を動作させることを特徴とする。
このように回転体を回転させる動力は流水なので、電源と電気回路が不要となり、水周りで使用しても安全である。また、装置の構成が単純なので、部品点数が少なく工数も費用も節減でき、しかも壊れにくい。
【０００７】
本発明の水位報知器において、前記回転体の回転軸は前記ホルダーに設けた軸受けで支持されるとともに、前記吊糸は前記ホルダーに設けた吊糸支持部を挿通し、前記吊糸の他端には前記音発生手段が設けられ、前記浮きが浮上すると前記音発生手段が前記回転体に接触する位置まで移動するように構成するとよい。この構成では、前記ホルダーは箱状をなし、該水位報知器を使用していないときは、前記ホルダーの内部に前記回転体と前記吊糸と前記浮き及び前記音発生手段とを収納するようにしてもよい。
音発生手段は徐徐に移動していって、流水による回転体に接触して音を発生し、水位に達したことを知らせるわけである。
ここで、音発生手段の「移動」は、縦方向、横方向のいずれであってもよい。
箱状とは、内部に回転体などを収納できる空間があればよく、外観は、例えば水車小屋状にする等どのようなものでもよい。
【０００８】
また、本発明の水位報知器は、前記ホルダーに回転体支持部を設け、この回転体支持部を支点として揺動可能な連結部材を前記回転体の回転軸と連結させるとともに、前記吊糸は前記ホルダーに設けられた吊糸支持部を挿通し、前記吊糸の他端は前記連結部材に止着されている一方、
前記ホルダーには前記音発生手段が設けられ、
前記浮きが浮上することによって前記回転体の位置が変化し、流水を受けて回転する前記回転体と前記音発生手段とが接触するように構成してもよい。
あるいは、前記音発生手段を前記ホルダーではなく、前記回転体あるいは前記連結部材に設け、所定の水位に到達したときに前記浮きが浮上することによって前記回転体の位置が流水を受ける位置に変化し、流水を受けた前記回転体の回転にともない前記音発生手段が動作するように構成してもよい。
これにより、回転体の位置を移動可能とすることができ、構造の自由度が高まる。
「連結部材」には、後述する第２および第３の実施の形態の連結棒が該当するが、紐やワイヤでもよい。
【発明の効果】
【０００９】
電気をいっさい使用せず簡単な構成の装置によって、所定の水位に達したことを報知できる。所定の水位に達した後は注水を止めるまで音が鳴り続けるので、注水中に別室にいても聞き漏らすことがなく、浴槽から水が溢れ出すことを防止できる。回転体を水車状にしたりすることで、単なる実用品にとどまらず、浴室内の装飾品や玩具のような楽しさを持たせることもできる。
【図面の簡単な説明】
【００１０】
【図１】第１の実施の形態の水位報知器の斜視図である。
【図２】第１の実施の形態の水位検知の仕組みを説明する図である。
【図３】第１の実施の形態の水位報知器を注水前の浴槽で使用する状態を示す概観図である。
【図４】第１の実施の形態の水位報知器を所定の水位に達した浴槽で使用中の状態を示す概観図である。
【図５】第２の実施の形態の水位報知器の斜視図である。
【図６】第２の実施の形態の水位報知器を注水前の浴槽で使用する状態を示す概観図である。
【図７】第２の実施の形態の水位報知器を所定の水位に達した浴槽で使用中の状態を示す概観図である。
【図８】第３の実施の形態の水位報知器の斜視図である。
【図９】第３の実施の形態の鈴が水車側に取り付けられている状態を例示する図である。
【図１０】第３の実施の形態の水位報知器を注水前の浴槽で使用する状態を示す概観図である。
【図１１】第３の実施の形態の水位報知器を所定の水位に達した浴槽で使用中の状態を示す概観図である。
【発明を実施するための形態】
【００１１】
浴槽に注水時、所定の水位に達したことを知らせるという目的を、流水で回転する回転体を動力とし、浮きが浮力の作用で浮かび上がることによって、この浮きと吊糸で連結された回転体あるいは音発生手段のいずれかの位置が移動して回転体と音発生手段とが接触し、この接触によって音が発生する水位報知器で実現した。
以下、本発明の実施の形態を図面に基づいて詳しく説明する。下記の実施の形態では、回転体として水車を用い、音発生手段として鈴を用いている。また、取り付け箇所は、水道のパイプとする。
【００１２】
（第１の実施の形態）
この実施の形態は請求項２に係る発明に対応するものである。
まず、図１を参照しながら、本実施の形態の水位報知器１の構成について説明する。
【００１３】
水位報知器１は、水車２と、浮き３と、鈴４と、これらを支持するホルダー５を備えている。
ホルダー５によって、水位報知器１は水道のパイプに取り付けられる
ホルダー５は、水道のパイプに被せることができるように板材を断面がＵ字型になるように湾曲させたものである。パイプと接触する内側の部分には適宜ゴムなどを貼り付けておくと滑り止めになり、水位報知器１を水道のパイプに確り固定させるこことができる。
ホルダー５のＵ字型を構成する側面の対向する箇所にそれぞれ軸受けを設け、この２個の軸受けに水車２の回転軸６を通す。したがって、水車２はホルダー５に対して常に固定位置にある。水車２は２枚の円板７と水受け８を備える。
なお、ホルダー５と水車２の素材は特に限定しない。樹脂や金属でもよく、木材などの自然素材でもよい。ただし、衛生的であることが望まれる浴槽で使用するので、いずれの素材を用いる場合も、抗菌・抗カビや有害物質の排除に考慮しなければならない。この点は、下記の実施の形態においても同様である。
【００１４】
吊糸支持部９をホルダー５に設け、この吊糸支持部９に釣り糸のような水を吸収しにくく、水に対する抵抗の小さい素材の吊糸１０を通す。吊糸１０の一端には浮き３を設ける。他端には、鈴４を設ける。
浮き３は鈴４よりも重くし、同体積の水よりも軽くする。また、吊糸１０の重さは考慮しないものとする。
【００１５】
ここで、図２を参照しながら、吊糸１０の長さについて説明する。
図２は吊糸の長さについて説明する図であるから、水車などは省略されている。
吊糸１０の長さをＬ１とし，注水前は、浮き３は浴槽の深さＨ１のところに吊り下げられているとする。注水により水位が上昇するにつれ、浮き３全体が水中に浸かり、浮力によって吊糸１０を引っ張る力がゼロになる。吊糸１０は鈴４の重さに引っ張られ浮きが浮上した分の長さだけ鈴４は下降する。このように、浴槽内の水位が上昇するにつれ、鈴４が徐々に下降する。
さらに注水を続け、設定した水位Ｈ２に達すると、吊糸支持部９から水面までの吊糸１０の長さがＬ２になり、鈴４は、（Ｌ１−Ｌ２）だけ下降する。鈴４が水車２と接触する位置は、吊糸支持部９からＳだけ下方にあるとすると、Ｓ＝（Ｌ１−Ｌ２）が成り立つならば、水位がＨ２に達したときに鈴４は、回転する水車２と接触し鳴り始める。
吊糸１０の長さＬ１は、ＳとＨ２によって決定する。Ｓの値は一定なので、所定の水位Ｈ２に応じて長さＬ１を調整すればよい。
鈴４が下降しすぎないように、吊糸１０の鈴４側から（Ｌ１−Ｌ２）よりやや浮き３に近い側に図示しないストッパーを付加してもよい。
なお、吊糸支持部９は、吊糸１０が滑らかに通過できるものであればよく、例えば、ホルダー５に取り付けたフック状のものでもよい。
【００１６】
次に水位報知器１の使用の仕方について、図３及び図４を参照しながら説明する。
浴槽の水道のパイプ１１にホルダー５を取り付ける。この実施形態のホルダー５は断面がＵ字型なので上下を逆にしてパイプ１１に被せるだけで簡単に水位報知器１を固定できる。なお、ホルダー５はパイプ１１にぐらつかないように水位報知器１を着脱自在に取り付け可能であればどのような形態でもよく、その形態に応じた取り付け方がある。
パイプ１１にホルダー５を取り付ける際、水道の蛇口から流れる水１２を受けることのできる位置に水車２を配置すると、流水によって水車２は回転を始める。
このように水位報知器１は水道の水１２を動力源とするので、電源を使用するタイプの装置のように電池および電気回路が不要である。したがって、構成はきわめてシンプルであり、安全である。
【００１７】
蛇口を開栓し、水が流れ出すとこの水１２を水受け８に受けて水車２が回りはじめる。
図３は、注水開始前の浴槽１３に水位報知器１を取り付けた状態を示している。吊糸１０の一端にある浮き３を最も下方に吊り下げ、他端にある鈴４を吊糸支持部９の位置まで吊り上げている。この状態では、鈴４は水車２の上方に位置し、回転する水車２とは離間している。
図４は、注水が所定の水位に達した状態を示している。
浮き３が浮力によって浮上するのにともない、鈴４の重みで吊糸１０が引っ張られて鈴４が下降し、鈴４が水車２と接触する。回転する水車２との接触によって鈴４の音が発生する。鈴音が別室にいても聞き逃すことのないように、鈴の大きさや鈴の個数を適宜決めればよい。音を止めるには、蛇口を閉栓するだけでよく、作動停止スイッチのようなものは必要としない。
このように、水位報知器１は構成も使用法もきわめて簡単である。
【００１８】
（第２の実施の形態）
この実施の形態は請求項４に係る発明に対応するものである。
第１の実施の形態では、水車２の回転軸６がホルダー５に設けた軸受けを通るため、水車２は定位置において回転していた。一方、この第２の実施の形態では、水車の位置は移動可能であって、音発生手段が常に定位置にある。
以下、図面を参照しながら、第２の実施の形態の水位報知器３１について説明する。
【００１９】
まず、図５を参照しながら、水位報知器３１の構成について説明する。
水位報知器３１は、水車３２と、浮き３３と、鈴３４と、これらを支持するホルダー３５を備えている。ホルダー３５によって、水位報知器３１は所定の箇所に取り付けられる。
ホルダー３５は水道のパイプ１１に被せることができるように断面がＵ字型をしている。
ホルダー３５の長手方向の蛇口に近い箇所に水車支持部（請求項４の回転体支持部に相当）３７を設け、反対側に吊糸支持部３９を設けている。また、この実施の形態では、鈴３４は、ホルダー３５の固定位置に取り付けられている。
この水車支持部３７と水車３２の回転軸３６とを連結棒３８で連結する一方、吊糸支持部３９に吊糸４０を通し、この吊糸４０の一端に浮き３３を設け、他端は水車３２の回転軸３６（或いは連結棒３８の動作上適切な箇所）に止着する。ホルダー３５の蛇口寄りには鈴３４を吊り下げる。連結棒３８は水車支持部３７を支点として揺動するので、浮き３３の位置に応じて、水車３２の位置が変化する。
【００２０】
次に水位報知器３１の使用の仕方について、図面を参照しながら説明する。
浴槽１３の水道のパイプ１１にホルダー３５を取り付ける。ホルダー３５は断面がＵ字型なので上下を逆にしてパイプ１１に被せるようにすれば水位報知器３１を固定できる。固定したときに安定するようにホルダー３５の内側には適宜ゴムを貼るなどの滑り止めを施しておくとよい。
図６に示すように、注水開始前は、浮き３３を下方に引っ張り、水車３２を吊り上げておく。この状態では、水車３２の水受けが水道の水１２を受けても受けなくてもいずれでもよい。いずれにしても、水車３２は鈴３４と離間しているので鈴音は発生しないからである。
【００２１】
図７は、注水が所定の水位に達した状態を示している。
浮き３３が浮力によって重さがゼロになるので、水車３２の重みで吊糸４０が引っ張られ、水車３２は、連結棒３８が垂直になった状態まで移動する。この状態で水車３２は、水道の水１２を受けることができ、かつ、鈴３４と接触する。水車３２は回転を始め、水車３２と鈴３４とが接触して鈴３４の音が発生する。
注水が所定の水位に達したときの回転軸３６（吊糸４０の他端が回転軸３６以外の連結棒３８上に止着されているときは、その止着箇所）と吊糸支持部３９との距離をＭ１、吊糸支持部３９から所定の水位のときの水面までの垂線の長さをＭ２とすると、吊糸４０の長さはＭ１＋Ｍ２となる。Ｍ１の値は一定なので、吊糸の長さは、所定の水位に応じて調整する。
【００２２】
（第３の実施の形態）
この実施の形態は請求項５に係る発明に対応するものである。
この実施の形態は、水車の位置は移動可能であって、音発生手段が常に定位置にある点において第２の実施の形態と共通する。しかし、この実施の形態では、音発生手段がホルダーに固定されているのではなく、水車側つまり水車自体あるいは連結棒に固定されている点で相違する。以下、図面を参照しながら、第３の実施の形態の水位報知器５１について説明する。なお、図中、第２の実施の形態と同一の機能については同一の符号を用いる。
【００２３】
まず、図８を参照しながら、水位報知器５１の構成について説明する。
水位報知器５１は、水車３２と、浮き３３と、これらを支持するホルダー３５を備えている。ホルダー３５によって、水位報知器５１は所定の箇所に取り付けられる。
ホルダー３５は水道のパイプ１１に被せることができるように断面がＵ字型をしている。
ホルダー３５の長手方向の蛇口に近い箇所に水車支持部（請求項５の回転体支持部に相当）３７を設け、反対側に吊糸支持部３９を設けている。
この水車支持部３７と水車３２の回転軸３６とを連結棒３８で連結する一方、吊糸支持部３９に吊糸４０を通し、この吊糸４０の一端に浮き３３を設け、他端は水車３２の回転軸３６（或いは連結棒３８の動作上適切な箇所）に止着する。連結棒３８は水車支持部３７を支点として揺動するので、浮き３３の位置に応じて、水車３２の位置が変化する。
【００２４】
この実施の形態では、鈴５２は、ホルダー３５ではなく、連結棒３８に固定されている。
図９に示すように、連結棒３８のホルダー３５寄りに鈴吊下部５３を設け、鈴５２の吊下紐５４の一端を鈴吊下部５３に止着する。鈴５２の吊下紐５４を連結棒３８に直接止着しないのは、鈴５２を連結棒３８に接触させないようにし、連結棒３８の位置の変化に応じて鈴５２が不用意に鳴るのを防ぐためである。また、接触することにより、十分な音量の鈴音が得られなくなることを防ぐためである。
【００２５】
次に水位報知器５１の使用の仕方について、図面を参照しながら説明する。
浴槽１３の水道のパイプ１１にホルダー３５を取り付ける。図１０に示すように、注水開始前は、浮き３３を下方に引っ張り、水車３２を吊り上げておく。この状態では、鈴５２は水車３２と接触してもかまわないが、水車３２の水受けが水道の水１２を受けることのないように注意が必要である。水１２を受けると水車３２が回転を始め、鈴５２の鈴音が発生するからである。浴槽１３への給水が進み、水位が上昇するにつれ水車３２および連結棒３８とともに鈴５２も一体となって移動するが、水車３２が水１２に当らない間は水車３２は回転しないので、鈴５２が振動して鈴音を発生させることはない。
【００２６】
図１１は、注水が所定の水位に達した状態を示している。
浮き３３が浮力によって重さがゼロになるので、水車３２の重みで吊糸４０が引っ張られ、水車３２は、連結棒３８が垂直になった状態まで移動する。この状態で鈴５２は水車３２の真上から吊り下がり、鈴５２と水車３２とが接触する。同時に水車３２は、水道の水１２を受けて回転を始めるので、回転する水車３２と鈴５２との接触により、或いは水車３２の回転にともなう鈴５２の振動により、鈴音が発生する。
【００２７】
以上、第１、第２および第３の実施形態をもとに本発明の説明をしてきたが、これらの実施の形態は例示にすぎず、本発明を実現する構成として種々の変形例が考えられ、それらの変形例も本発明の範囲にある。
以下、そうした変形例のいくつかを記す。
【００２８】
第１の実施の形態の変形として、ホルダーを水車小屋（請求項３にいう箱の一種）の形状にしてもよい。水車小屋の屋根が開閉し、水道のパイプを挟むとロックする。使用していないときは、水車や浮きなどを水車小屋の内部に収納して置物として飾ることもできる。
このようにホルダーを水車小屋などの形状にしたりするだけでなく、浮きの形状に意匠的な工夫をしたり、吊糸支持部に魚をデフォルメした飾りを付加したり、水車の回転により人形が鐘を叩くようにしたりすることで幼い子どもの好む玩具としての側面を持たせることもできる。
【００２９】
回転体は水車に限らず、プロペラでもよい。あるいは、水車などの回転軸の周囲に羽根を取り付けてもよい。要は、水の力を動力に代えるものであれば、水車に限定しない。
前記の実施の形態では、水車のみを使用しているが、水車と回転軸を共有する羽根車を併用し、流水は水車で受け、鈴は羽根車に接触して音を発生させてもよい。
【００３０】
音発生手段として使用する鈴の個数は１個以上何個でもよい。鈴の音の響きをよくするために、鈴が接触する水車の水受けの部分などに反響板を用いてもよい。また、ホルダーを水車小屋などの箱状にする場合、これらの筐体に反響板の効果を持たせることもできる。
さらに、音発生手段つまり音源として、鈴の代わりに、何らかの音が出る面白いアイテム（太鼓、木琴・鉄琴などを含む）を用いてもよい。
【００３１】
第３の実施の形態では、鈴は連結棒に固定されていたが、直接水車に固定されていてもよい。例えば、水車に直接鈴を取り付け、流水を受けて水車が回転を始めると、その回転によって鈴が振動し、鈴音が発生する。あるいは、鈴の代りに鐘を水車に取り付けるとともに、連結部材にハンマーを取り付けて、水車の回転に伴い鐘とハンマーが相互に接触することによって鳴動させる、といった方法も考えられる。ここで、ハンマーの取り付け箇所は連結部材に限らず、ホルダーに取り付けてもよい。
【００３２】
本発明の水位報知器は水道のパイプに取り付けるだけでなく、ホルダーを浴槽の縁に引っ掛けたり、浴室の壁に取り付けてもよい。あるいは、浴槽の脇が平坦であれば、そこに置いてもよく、天井から吊り下げてもよい。ただし、取り付け方法によって、ホルダーの形状は適宜変更しなくてはならないことは言うまでもない。また、水道のパイプの代りに、給湯器のパイプに取り付け、水車が流れる湯水を受けるようにしてもよいことは言うまでもない。
【産業上の利用可能性】
【００３３】
家庭に備えておくと便利な生活用品として、ホームセンターなどでの販売、浴槽メーカーのショールームでの展示・販売が期待できる。また、実用的な側面のある浴室内装飾品や玩具として、玩具メーカーなどによる製造・販売も期待できる。
【符号の説明】
【００３４】
１：水位報知器、２：回転体（水車）、３：浮き、４：音発生手段（鈴）、５：ホルダー、６：回転軸、７：円板、８：水受け、９：吊糸支持部、１０：吊糸、
１１：水道のパイプ、１２：水道の水、１３：浴槽、
３１：水位報知器、３２：回転体（水車）、３３：浮き、３４：音発生手段（鈴）、３５：ホルダー、３６：回転軸、３７：回転体（水車）支持部、３８：連結部材（連結棒）、３９：吊糸支持部、４０：吊糸、
５１：水位報知器、５２：音発生手段（鈴）、５３：鈴吊下部、５４：吊下紐
【図１】
2012002653.tif 000003
【図２】
2012002653.tif 000004
【図３】
2012002653.tif 000005
【図４】
2012002653.tif 000006
【図５】
2012002653.tif 000007
【図６】
2012002653.tif 000008
【図７】
2012002653.tif 000009
【図８】
2012002653.tif 000010
【図９】
2012002653.tif 000011
【図１０】
2012002653.tif 000012
【図１１】
2012002653.tif 000013